(57)【要約】【課題】傾斜器が遊技台の釘に接触することなく盤面の傾斜度を測定でき、かつ測定する際に、測定する際に、ガラス扉を開放する必要がなく、取り付け、取り外す作業が容易にできる遊技台盤面の傾斜度測定装置を提供する。【解決手段】遊技台盤面の傾斜度測定装置は、透明な平板と、平板の裏面から突出し、先端が遊技台の盤面の前方に配設されたガラス扉の表面に当接可能な複数の支持脚と、平板の裏面側に配置され、ガラス扉の表面に着脱可能な取り付け治具と、平板の表面に対して基準面が平行となるように設置され、基準面の傾斜度を測定する傾斜器とを備えており、取り付け治具がガラス扉の表面に装着される状態において、複数の支持脚の先端はガラス扉の表面に当接可能に構成されている。【選択図】図１
2019024814.tif 000002
【特許請求の範囲】
【請求項１】
透明な平板と、該平板の裏面から突出し、先端が遊技台の盤面の前方に配設されたガラス扉の表面に当接可能な複数の支持脚と、前記平板の裏面側に配置され、前記ガラス扉の表面に着脱可能な取り付け治具と、前記平板の表面に対して基準面が平行となるように設置され、該基準面の傾斜度を測定する傾斜器とを備えており、
前記取り付け治具が前記ガラス扉の表面に装着される状態において、前記複数の支持脚の先端は前記ガラス扉の表面に当接可能に構成されていることを特徴とする遊技台盤面の傾斜度測定装置。
【請求項２】
前記取り付け治具は、変形可能な吸引カップと、前記吸引カップによる前記ガラス扉の表面に対する吸引及び吸引解除を行う操作部材とを有し、
前記平板に、前記平板の表面側から前記操作部材を操作するための開口部が設けられていることを特徴とする請求項１に記載の遊技台盤面の傾斜度測定装置。
【請求項３】
一端部が前記平板の裏面に固着されていると共に、他端部が前記取り付け治具に固着されている連結部材をさらに備えていることを特徴とする請求項２に記載の遊技台盤面の傾斜度測定装置。
【請求項４】
前記傾斜器を前記平板に沿って左右に平行移動可能なスライド機構をさらに備えたことを特徴とする請求項１から３のいずれか１項に記載の遊技台盤面の傾斜度測定装置。
【請求項５】
前記平板の両側辺の略中央部にそれぞれ切り込み部が設けられていることを特徴とする請求項１から４のいずれか１項に記載の遊技台盤面の傾斜度測定装置。
【発明の詳細な説明】
【技術分野】
【０００１】
本発明は、パチンコ台等の遊技台の盤面の傾斜度を測定するための遊技台盤面の傾斜度測定装置に関する。
【背景技術】
【０００２】
パチンコ遊技機等の遊技機において遊技台の盤面の傾斜度は出玉率を左右する重要な要素である。そのため、遊技機の設置に際しては、遊技台の盤面の傾斜が適切な傾斜（通常、遊技台の盤面の上端側が下端側に対して後方に僅かに傾く角度）になるように、遊技台の盤面の傾斜を測定しながら遊技機を設置する必要がある。遊技機で遊技を楽しむためには、遊技機の遊技台の盤面がメーカ指定の適正な傾斜角に調整されていることが重要である。
【０００３】
遊技台の盤面の傾斜度を傾斜計で測ろうとする場合、遊技台の盤面に設けられている様々な遊技部材が突起した障害となるため、傾斜計を遊技台の盤面に直接当接することができない。
【０００４】
このため、遊技台の盤面上に脚部を当接させて、正確な傾斜角度を測定するようにした遊技機用傾斜角度検出装置が提案されている（特許文献１）。
【０００５】
この特許文献１に記載の遊技機用傾斜角度検出装置は、遊技台の盤面の傾斜角度を検出して信号を出力する傾斜センサと、傾斜センサの水平角度を検出して信号を出力する水平センサと、傾斜センサ及び水平センサを収納する筐体と、筐体の一の面に設けられた、棒状の三つの脚部と、筐体の所定の面に設けられた、傾斜センサが略水平状態にある旨を表示する水平表示部と、取り付け治具とを備え、取り付け治具は、ベルトと、ベルトの各端部に設けられた、遊技台の盤面上の釘に装着するための装着手段とを有する。各装着手段を釘に装着すると共にベルトで筐体を押圧することにより、三つの脚部を遊技台の盤面に当接させた状態で筐体を遊技台の盤面上に取り付けるように構成されている。
【０００６】
また、従来では、気泡管を備えた水準器を用いて盤面の傾斜度を直接測定する方法も用いられている。この場合は、水準器の基準面に設けられた穴を遊技台の盤面上の釘に引っ掛かって基準面を遊技台の盤面に当接させて測定を行う。
【先行技術文献】
【特許文献】
【０００７】
【特許文献１】特開２０１５−１９８１８号公報
【発明の概要】
【発明が解決しようとする課題】
【０００８】
しかしながら、特許文献１に記載された遊技機用傾斜角度検出装置は、傾斜度を測定する際に、ベルトの端部に設けられた装着手段を遊技台の盤面にある釘に装着するように構成されているため、装置の重さ及び装着作業により、これらの釘が傾斜したり、曲がってしまう恐れがあった。
【０００９】
また、棒状の三つの脚部の位置が固定されているため、遊技台の盤面の遊技部材の位置によっては脚部を盤面に当接できず、装置を全く設置できない場合があるという問題点があった。
【００１０】
また、水準器を用いて直接測定する従来技術も、釘に装着することで、遊技台の盤面上の釘が傾斜したり、曲がってしまう恐れがあった。さらに、盤面上に釘がない場所（例えば、盤面に面して右側、即ち、操作ハンドルが有する側に釘が少ない場所等）において、水準器を設置することができないことから傾斜度を測定できないという問題点があった。
【００１１】
従って本発明の目的は、傾斜器が遊技台の釘に接触することなしに盤面の傾斜度を測定できる遊技台盤面の傾斜度測定装置を提供することにある。
【００１２】
本発明の他の目的は、測定する際に、取り付け及び取り外し作業を容易にできる遊技台盤面の傾斜度測定装置を提供することにある。
【課題を解決するための手段】
【００１３】
本発明によれば、透明な平板と、平板の裏面から突出し、先端が遊技台の盤面の前方に配設されたガラス扉の表面に当接可能な複数の支持脚と、平板の裏面側に配置され、ガラス扉の表面に着脱可能な取り付け治具と、平板の表面に対して基準面が平行となるように設置され、基準面の傾斜度を測定する傾斜器とを備えており、取り付け治具がガラス扉の表面装着される状態において、複数の支持脚の先端はガラス扉の表面に当接可能に構成されている。
【００１４】
遊技台の盤面の前方に配設されたガラス扉の表面に着脱可能な取り付け治具を備え、この取り付け治具がガラス扉の表面に装着される状態において、複数の支持脚の先端はガラス扉の表面に当接可能に構成されている。これにより、傾斜器が遊技台の釘及び盤面に接触することなしに、平板とガラス扉の表面とを平行して設置でき、この平板の表面と基準面が平行となるように設置した傾斜器によって正確な傾斜度測定を行うことができる。また、従来のように水準器を遊技台の盤面上の釘に引っ掛かって装着することによって釘が傾斜したり、曲げてしたりする恐れがなくなる。なお、本明細書において、「表面」とは遊技台における遊技者側の面を表しており、「裏面」とは遊技台における遊技者とは反対側の面を表している。
【００１５】
取り付け治具は、変形可能な吸引カップと、吸引カップによるガラス扉の表面に対する吸引及び吸引解除を行う操作部材とを有し、平板に、平板の表面側から操作部材を操作するための開口部が設けられていることが好ましい。これにより、ガラス扉の表面の任意の位置に簡単に設置することができる。また、平板の表面側から操作部材を操作することができ、測定する際に、装置の取り付け、取り外すことが容易にできる。
【００１６】
一端部が平板の裏面に固着されていると共に、他端部が取り付け治具に固着されている連結部材をさらに備えていることが好ましい。これにより、取り付け治具がガラス扉の表面に装着される状態において、複数の支持脚の先端がガラス扉の表面に確実に当接することが可能となる。
【００１７】
傾斜器を平板に沿って左右に平行移動可能なスライド機構をさらに備えたことが好ましい。これにより、遊技台の盤面に対して左右に移動し各位置において測定を行うことができる。
【００１８】
平板の両側辺の略中央部にそれぞれ切り込み部が設けられていることが好ましい。これにより、遊技台盤面の傾斜度測定装置を片手で持つことができ、吸引及び吸引解除を行う際に、操作部材を操作することが容易にできる。また、軽量化を図ることができる。さらに、持ち運びも容易にできる。
【発明の効果】
【００１９】
本発明によれば、遊技台盤面の傾斜度測定装置は、傾斜器が遊技台の釘及び盤面に接触することなしに、平板とガラス扉の表面とを平行して設置でき、この平板の表面と基準面が平行となるように設置した傾斜器によって正確な傾斜度測定を行うことができる。測定する際に、ガラス扉を開放する必要がなくなり、ガラス扉の表面の任意の位置に簡単に設置することができる。従来のように釘に装着することで、釘が傾斜したり、曲げてしたりする恐れがなくなる。また、平板の表面側から操作部材を操作することができ、測定する際に、装置の取り付け、取り外すことが容易にできる。さらに、軽量化を図ることができ、持ち運びも容易にできる。
【図面の簡単な説明】
【００２０】
【図１】本発明の一実施形態における遊技台盤面の傾斜度測定装置の構成を概略的に示す斜視図である。
【図２】図１の実施形態における遊技台盤面の傾斜度測定装置の構成を概略的に示す平面図である。
【図３】図１の実施形態における遊技台盤面の傾斜度測定装置の構成を概略的に示す側面図である。
【図４】図１の実施形態における遊技台盤面の傾斜度測定装置の連結部材の構成を概略的に示す斜視図である。
【図５】図１の実施形態における遊技台盤面の傾斜度測定装置の使用例を概略的に示す斜視図である。
【図６】遊技台の盤面の傾斜度を測定する際の正面から見た状態を示す平面図である。
【図７】遊技台の盤面の傾斜度を測定する際の側面から見た状態を示す側面図である。
【発明を実施するための形態】
【００２１】
以下、本発明に係る遊技台盤面の傾斜度測定装置の実施形態を図面に基づいて説明する。
【００２２】
図１は本発明の一実施形態における遊技台盤面の傾斜度測定装置１００の全体構成を示しており、図２はこの傾斜度測定装置１００を正面から見た状態を示しており、図３はこの傾斜度測定装置１００を側面から見た状態を示している。図４はこの傾斜度測定装置１００の連結部材４０の構成を示している。
【００２３】
図１〜図４に示すように、本実施形態における遊技台盤面の傾斜度測定装置１００は、平板１０と、複数（本実施形態では４つ）の支持脚２０と、スライド機構３０と、連結部材４０と、取り付け治具５０と、傾斜器６０とを主に備えている。
【００２４】
平板１０は、例えば、略矩形に形成され、透明な樹脂製平板である。この平板１０の中央部に、平板１０の表面側から操作部材５２を操作するための扇形の開口１１が設けられている。また、平板１０の両側辺の略中央部にそれぞれ切り込み部１２が設けられている。平板１０の裏面側に連結部材４０を介して取り付け治具５０が配置されている。平板１０が透明であることから、取り付け治具５０の取り付け位置及び複数の支持脚２０の先端がガラス扉Ｇの表面に当接する状態を平板１０の前面側から確認することができる。
【００２５】
複数の支持脚２０の各々は、円柱状の保持部２１と脚部２２とから構成され、平板１０の角部に垂直方向に装着されている。複数の支持脚２０は、平板１０の裏面からの突出長さ、即ち支持脚２０の長さが互いに等しくなるように構成されている。本実施形態において、複数の支持脚２０は、保持部２１にネジ穴が設けられており、ネジで平板１０の角部に装着されている。また、複数の支持脚２０は、取り付け治具５０がガラス扉Ｇの表面を吸引、保持する状態において、その先端がガラス扉Ｇの表面に当接可能に構成されている。なお、本実施形態において、４つの支持脚２０を設けているが、これに限定されるものではない。例えば、３つ又は５つ以上の支持脚２０を設けても良い。
【００２６】
スライド機構３０は、平板１０の表面上に水平方向（左右方向）に沿って設置されている１対のレール３１ａ及び３１ｂと、これら１対のレール３１ａ及び３１ｂに係合すると共に、これらレール３１ａ及び３１ｂに沿って自在に移動可能な１対のスライド部材３２ａ及び３２ｂとを備えている。１対のスライド部材３２ａ及び３２ｂは、ネジを介して傾斜器６０の基準面に装着されている。これにより、傾斜器６０はレール３１ａ及び３１ｂに沿って移動可能となっている。
【００２７】
連結部材４０は、図４に示すように、可撓性板状材から略Ｔ字形に形成されている。本実施形態において、透明な樹脂製板材から形成されている。この連結部材４０は、上端部４１がネジ穴４１ａを介して平板１０の裏面に固着されていると共に、下端部４２がネジ穴４２ａを介して取り付け治具５０に固着されている。上端部４１と下端部４２とを連結する連結部４３は、使用時に湾曲し変形可能である（図７参照）。
【００２８】
取り付け治具５０は、変形可能な吸引カップ５１と、吸引カップ５１によるガラス扉Ｇの表面に対する吸引及び吸引解除を行う操作部材５２とを有している。取り付け治具５０としては、例えば、ガラス扉Ｇの表面に着脱可能なバキュームリフター（ハンド吸着盤）を用いることができる。取り付け治具５０は、連結部材４０を介して平板１０の裏面側に配置される。これにより、遊技台の盤面Ｎの傾斜度を測定する際に、遊技台盤面の傾斜度測定装置１００の取り付け及び取り外しが容易にできる。
【００２９】
傾斜器６０は、その基準面の傾斜度を測定するためのものである。例えば、図１〜図３に示すように、少しずつ角度をずらした複数の気泡管を備えた水準器を用いて、所望の気泡管の気泡位置を合わせることにより台の傾きを測定するものである。傾斜器６０の基準面は、ネジを介して１対のスライド部材３２ａ及び３２ｂと連結されており、平板１０と平行するように配置されている。
【００３０】
図５は本実施形態に係る遊技台盤面の傾斜度測定装置１００を用いて遊技台の盤面Ｎの傾斜度を測定する際の状態を示しており、図６はこの傾斜度測定装置１００を用いて遊技台の盤面Ｎの傾斜度を測定する際の正面から見た状態を示しており、図７はこの傾斜度測定装置１００を用いて遊技台の盤面Ｎの傾斜度を測定する際の側面から見た状態を示している。図５において、遊技台の盤面Ｎを省略し、ガラス扉Ｇのみを示している。
【００３１】
図５〜図７に示すように、遊技台盤面の傾斜度測定装置１００を用いて遊技台の盤面Ｎの傾斜度を測定する場合は、取り付け治具５０の操作部材５２を、図１中の矢印方向に回転し、吸引カップ５１を遊技台のガラス扉Ｇの表面に吸着させ、遊技台盤面の傾斜度測定装置１００をガラス扉Ｇの表面に固定する。この場合、４つの支持脚２０の先端がガラス扉Ｇの表面に当接し、平板１０を盤面Ｎと平行に支持するようになっている。これによって、平板１０と遊技台の盤面Ｎとを平行して設置できる。そして、傾斜器６０をレール３１ａ及び３１ｂに沿って測定位置に移動し設置することで、遊技台の盤面Ｎの傾斜度を測定することができる。また、測定する際に、スライド機構３０を用いて傾斜器６０（水準器）を水平方向に移動し、測定位置を変えることができる。測定完了後、取り付け治具５０の操作部材５２を、図７中の矢印方向に回転し、吸引カップ５１の吸引力を解除することで、遊技台盤面の傾斜度測定装置１００をガラス扉Ｇの表面から取り外すことができる。
【００３２】
以上説明したように、本実施形態によれば、遊技台盤面の傾斜度測定装置１００は、平板１０と、複数の支持脚２０と、スライド機構３０と、連結部材４０と、取り付け治具５０と、傾斜器６０とを備えており、取り付け治具５０は、変形可能な吸引カップ５１と、吸引カップ５１によるガラス扉Ｇの表面に対する吸引及び吸引解除を行う操作部材５２とを有し、取り付け治具５０がガラス扉Ｇの表面を吸引、保持する状態において、複数の支持脚２０の先端はガラス扉Ｇの表面に当接可能に構成されている。
【００３３】
これにより、傾斜器６０が遊技台の釘及び盤面Ｎに接触することなしに、平板１０と遊技台の盤面Ｎとを平行して設置でき、盤面Ｎの傾斜度を正確に測定することができる。また、測定する際に、ガラス扉Ｇを開放する必要がなくなる。従来のように釘に引っ掛かって装着することで、釘が傾斜したり、曲げてしたりする恐れがなくなる。
【００３４】
変形可能な吸引カップ５１と、吸引カップ５１によるガラス扉Ｇの表面に対する吸引及び吸引解除を行う操作部材５２とを有する着脱可能な取り付け治具５０を用い、かつ平板１０に開口部１１が設けられていることにより、ガラス扉Ｇの表面の任意の位置に簡単に設置することができる。また、平板１０の表面側から操作部材５２を操作することができ、測定する際に、遊技台盤面の傾斜度測定装置１００の取り付け、取り外すことが容易にできる。
【００３５】
また、連結部材４０の上端部４１が平板１０の裏面に固着され、下端部４２が取り付け治具５０に固着されていることで、取り付け治具５０がガラス扉Ｇの表面に装着される状態において、複数の支持脚２０の先端がガラス扉Ｇの表面に確実に当接することが可能となる。
【００３６】
また、傾斜器６０を平板１０に沿って左右に平行移動可能なスライド機構３０を備えていることで、遊技台のガラス扉Ｇの各位置において傾斜度測定を容易にかつ精確に行うことができる。
【００３７】
また、平板１０の両側辺の略中央部にそれぞれ切り込み部１２が設けられていることで、取り付け及び取り外す際に、遊技台盤面の傾斜度測定装置１００を片手で保持しながら、もう片手で操作部材５２を操作し、吸引及び吸引解除を行うことが容易にできる。また、軽量化を図ることができる。さらに、持ち運びも容易にできる。
【００３８】
なお、上述した実施形態において、スライド機構３０は、１対のレール３１ａ及び３１ｂと、１対のスライド部材３２ａ及び３２ｂとから構成されている例を説明したが、本発明はこれに限定されるものではない。他の構成のスライド機構を用いても良い。
【００３９】
また、上述した実施形態において、取り付け治具５０は、吸引カップ５１と、吸引カップ５１によるガラス扉Ｇの表面に対する吸引及び吸引解除を行う操作部材５２とを有するバキュームリフター（ハンド吸着盤）である例を説明したが、本発明はこれに限定されるものではない。他の着脱可能な取り付け治具を用いても良い。
【００４０】
さらに、上述した実施形態において、連結部材４０は、樹脂製板材から形成されている例を説明したが、本発明はこれに限定されるものではない。可撓性を有する金属板材から形成されるようにしても良い。
【００４１】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００４２】
本発明に係る遊技台盤面の傾斜度測定装置は、遊技機の設置、調整において、遊技機の盤面の傾斜角度を検出する目的に利用することが可能である。
【符号の説明】
【００４３】
１０  平板
１１  開口
２０  支持脚
２１  保持部
２２  脚部
３０  スライド機構
３１ａ、３１ｂ  レール
３２ａ、３２ｂ  スライド部材
４０  連結部材
４１  上端部
４２  下端部
４３  連結部
５０  取り付け治具
５１  吸引カップ
５２  操作部材
６０  傾斜器（水準器）
１００  遊技台盤面の傾斜度測定装置
Ｇ  ガラス扉
Ｎ  盤面
【図１】
2019024814.tif 000003
【図２】
2019024814.tif 000004
【図３】
2019024814.tif 000005
【図４】
2019024814.tif 000006
【図５】
2019024814.tif 000007
【図６】
2019024814.tif 000008
【図７】
2019024814.tif 000009